(57)【要約】まつげのさまざまな特徴を評価し、それに従ってまつげを分類するための、印刷された型板、および上記型板を用いる方法が提供される。上記型板はまつげの下の眼瞼に隣接して置くのに適した縁部を有する。縁部には、密度、太さ、長さまたは色のような公知のまつげの特徴を表す表示が提供される。型板の表示を、まつげと表示の間で視覚的な比較ができるように実際のまつげに隣接して置く。まつげを表示と比較することにより、利用者はまつげの外形および特徴をより客観的に決定することができる。
2006506127.tif 000002
【特許請求の範囲】
【請求項１】
上面、底面、およびまつげの基部に近接する眼瞼の近くに置くための外形を有する少なくとも１つの縁部を有するシート；および上面または底面の少なくとも一方の縁部に隣接する第１の表示を含み、上記第１の表示がまつげの太さ、密度、長さおよび色から選択される少なくとも１つのまつげの特徴を計測するための外形を有する、
まつげをプロファイリングするための型板。
【請求項２】
縁部が眼瞼の凸状の形と相互に一致するように内側に曲がっている、請求項１記載の型板。
【請求項３】
さらに、上面または底面の少なくとも一方に第２の表示を含み、上記第２の表示が補足的な情報を提供する、請求項１記載の型板。
【請求項４】
まつげの太さ、密度および長さの少なくとも１つに関して、表示が選択されたまつげの特徴の値を表す、請求項１記載の型板。
【請求項５】
まつげの太さの値が約0.05mm〜約0.20mmの範囲である、請求項４記載の型板。
【請求項６】
まつげの密度の値が約10本/cm〜約30本/cmの範囲である、請求項４記載の型板。
【請求項７】
まつげの長さの値が約2mm〜約15mmの範囲である、請求項４記載の型板。
【請求項８】
まつげの太さ、密度、長さおよび色から選択される少なくとも１つの選択されたまつげの特徴を表す表示を有するシートの縁部を提供し；
まつげを表示と比較することができるように上記縁部をまつげの下に置き；
まつげの特徴を表示と視覚的に比較して、表示により表される少なくとも１つの選択されたまつげの特徴と比較した上記まつげのまつげプロファイルを決定する
ことを含む、まつげのタイプをプロファイリングする方法。
【請求項９】
第１のシート上に、少なくとも１つの第１の選択されたまつげの特徴の値を表す第１の表示を有する第１の縁部を提供し；
第１のシート上または第２のシート上に、第１のまつげの特徴の値とは異なる少なくとも１つの第２の選択されたまつげの特徴の値を表す第２の表示を有する第２の縁部を提供し；
まつげを第１の表示と比較できるように第１の縁部をまつげの下に置き、まつげの特徴を第１の表示と視覚的に比較し；
まつげを第２の表示と比較できるように第２の縁部をまつげの下に置き、まつげの特徴を第２の表示と視覚的に比較し；
第１の表示または第２の表示との相対的な類似性に基づいて上記まつげのまつげプロファイルを決定する
ステップを含む、まつげのタイプをプロファイリングする方法。
【請求項１０】
第１の縁部および第２の縁部が第１のシート上にある、請求項９記載の方法。
【請求項１１】
第１の縁部が第１のシート上にあり、第２の縁部が第２のシート上にある、請求項９記載の方法。
【発明の詳細な説明】
【技術分野】
【０００１】
本発明は、たとえば、まつげの密度、太さおよび長さのような、まつげの物理的特徴を計測し、プロファイリングするための道具および方法に関する。特に、上記道具により個々の利用者がまつげの特徴を簡易に決定できるので、利用者は、たとえばそのまつげの特徴に適したマスカラアプリケーターおよびマスカラ製品を選択することができる。
【背景技術】
【０００２】
現代の化粧手段の重要な部分であるマスカラは、さまざまな粘度、溶媒、繊維含有量、色素等を有する多くの異なる処方で利用可能である。まつげをマスカラで被覆するためのアプリケーターもまた多くの異なる構成および様式、たとえば、さまざまな毛の長さ、密度および特性を有するブラシ、ディスクアプリケーター等が利用可能である。人のまつげの特徴、たとえば個々のまつげの太さ（直径）、密度（ミリメーターあたりのまつげの数）、まつげの長さ等にもまた大きな多様性がある。このまつげ、マスカラ製品および製品用アプリケーターの多様性のために、消費者が彼ら個々のまつげの特徴に最も適した製品およびアプリケーターを選択することはしばしば困難である。消費者は、しばしば、彼らのまつげの相対的な特徴を客観的に知らず、そのためどの製品が彼らのまつげの特徴に適しているのかについて客観的にわからない。そのため、マスカラ製品および製品用アプリケーターは通常試行錯誤により選択される。
【０００３】
マスカラのまつげへの適用を補助する道具は公知である。上記の道具は、たとえば、米国特許第3,884,232号、第1,873,928号、第1,907,476号、第1,974,825号、第3,789,856号、第2,260,614号および第4,033,364号に開示されている。これらの道具は汚れおよび目の化粧の適用の失敗を防ぐのに有用であると言われている。けれども、これらの道具はいずれも、利用者の個々のまつげの特徴をプロファイリングするためのいかなる手段または方法も提供していない。
【発明の開示】
【０００４】
発明の概要
本発明は、まつげをプロファイリングするための便利で安価な道具を提供する。１つの縁部に表示を有する型板が提供される。表示は公知のまつげの特徴を表す。ある人のまつげの個々の特徴を計測するために、利用者は表示をまつげの下に置き、視覚的にまつげを表示と比較する。視覚的な観察により、たとえばまつげの太さ、長さおよび密度が表示により表される公知の平均値と比較してより大きいか小さいかを、簡単に、また客観的に決定することができる。この情報および型板により消費者に提供される二次的な情報を用いて、消費者は適切なマスカラ処方および/または製品用アプリケーターを選択することができる。
【０００５】
発明の詳細な説明
図１、２および７に、上面６、底面８、およびシート４の第１の端12に少なくとも１つの縁部10を有するシート４からなる、まつげをプロファイリングするための道具または型板２を図示する。縁部10は、利用者のまつげの基部に近接する眼瞼の近くに置くのに適した外形にする。これは、好ましくは縁部を人の目の幅とほぼ等しい長さとするという意味である。図１から４および７に示される好ましい実施形態において、これは、側辺14から側辺16までの全体の幅が人の目の幅とほぼ等しいようなシート４を提供することにより達成される。さらに、縁部10の少なくとも一方の側辺20または22を、眼瞼およびそのまわりの組織、たとえば、鼻梁の形によりよく一致させ、利用者を刺激する可能性のある鋭い角を最小限にするために先細の形とする。側辺14から側辺16までのシートの幅が人の目のおおよその幅よりも大きい場合、縁部10を、たとえば図５の実施形態に図示されるように、側辺14または側辺16の一方に隣接するような位置に置く。言い換えると、縁部10はシート４の一方の角またはその近くに位置するので、縁部10は利用者の鼻梁に邪魔されることなく眼瞼の近くに置くことができる。好ましくは、図１、２および７に示されるように、縁部10は、図７に図示されるように、眼瞼の凸状に曲がった構造と相互に一致するように内側に曲がっている。
【０００６】
第１の表示18は、縁部10の上面６または底面８の少なくとも一方に提供される。表示は、平面に（すなわち二次元で）表し得る限りできるだけ実際のまつげの外見に近く模倣された個々の線（そのうちのいくつかは曲線である）を含む。表示18は、たとえば個々のまつげの太さ、まつげの密度、まつげの長さ、またはまつげの色のような、少なくとも１つのまつげの特徴を計測するための外形を有する。特に、表示は、利用者が実際のまつげと表示を視覚的に比較して、実際のまつげの特徴が何であるかを相対的および客観的に決定することができるように、公知の異なるタイプのまつげの特徴をシミュレートする。たとえば、成人のまつげは通常約0.05mm〜約0.20mmの太さ（すなわち、個々のまつげの軸の直径）、約2mm〜15mmの長さ、および約10本/cm〜約30本/cmの密度（すなわち、センチメーターあたりのまつげの数）の範囲である。図１において、表示18は、たとえば、0.10mmの平均直径、10mmの平均長さ、および20本/cmの平均密度の成人のまつげを表す。図７に示されるようにまつげ21の下に型板２を置き、実際のまつげ21を図１の表示18により表される平均外形と視覚的に比較することにより、利用者は、たとえば、実際のまつげ21が表示18により表される公知の平均値と比較して太さ、長さおよび密度がより大きいのか小さいのかを、便利に、および客観的に決定することができる。図７において、図示されたまつげ21は、表示18とほぼ同じ太さおよび長さを有するが、表示18よりも密度が低い。これは、図示された実際のまつげ21が表された表示18のおよそ半分しか重ならないことから容易に明らかになる。このように、視覚的な観察により図示されたまつげ21が中程度の太さ、中程度の長さで、まばらな密度を有することを決定することができる。次に、この情報を、たとえば、上記のようなまつげの特徴に適したマスカラの処方および製品のアプリケーターを選択するために用いることができる。
【０００７】
色に関しては、縁部にヒトの髪の色、たとえば、ブロンド、ブルネット、黒、赤褐色（赤）または灰色の特定の色合いを付けた表示を提供することにより、実際のまつげの色合いを、色を付けた表示との比較により相対的および客観的に決定することができる。この情報を用いて、たとえば、適切な色合いのマスカラを選択することができる。
【０００８】
実際のまつげの特徴をより良く定量するために、上記のような平均的な特徴を表す外形を有する１つのみの縁部10を提供するよりも、それぞれ異なる公知のまつげの特徴を有する２つ以上の縁部を提供して、実際のまつげと比べるようにするとよい。たとえば、第１の型板2’は最小のまつげの外形を表す表示18’（図３）を施した縁部10’を有し、第２の型板2”は最大のまつげの外形を表す表示18”（図４）を施した縁部10”を有する。すなわち、型板2’上の表示18’は0.05mmの太さ、2mmの長さおよび10本/cmの密度を表し、型板2”上の表示18”は0.20mmの太さ、15mmの長さおよび30本/cmの密度を表す。型板2’および2”を順番にまつげの下に置き、まつげを表示18’および18”により表される最小および最大の外形と視覚的に比較することにより、利用者はこれらの最小および最大の外形と比較したまつげの特徴を決定することができる。上の例では２つの型板2’および2”によりまつげの評価および特徴付けをおこなう方法を示したが、まつげを評価するために、それぞれ異なる公知のまつげの特徴または外形を表す表示を有する型板を何枚でも用いることができることは理解されるであろう。上の実例において、たとえば、評価されるまつげの特徴をさらに類別し、分類するために、平均的なまつげの外形を表す表示18を有する型板２（図１）を用いることができる。また、たとえば縁部10および10”が描かれた図５および６に示されるように、１つの型板２が２個以上の縁部を有してもよいことが理解されるであろう。たとえば図５および６に示されるように、表示を有する２個以上の縁部10および10”を１枚のシート４上に提供してもよいが、衛生上の理由から、図１に示されるような１つの縁部のみを有する実施形態が好ましい。これにより、以前に利用者の指またはもう一方の目と接触することにより汚染された縁部10'との接触により目が汚染されることを防止する。
【０００９】
型板２は、さらに上面６または底面８の少なくとも一方の、第１の表示18によるまつげのプロファイリング/計測を妨害しない位置に、第２の表示25、27（図１および７）を有してもよい。第２の表示25、27は、たとえば、製品のロゴまた商標27、製品の宣伝用の情報、さまざまなまつげの特徴に対する製品またはアプリケーターの推薦、より詳しい情報を得るためのウェブサイトのアドレス等のような補足的な情報を提供する。第２の表示に提供された補足的な情報は、上記の道具に本質的な興味を引き起こし、それによりその魅力および好ましさを著しく増大することができる。
【００１０】
型板２は、普通に入手できる紙または厚紙シート材料に普通に入手できるインクを用いて印刷し、公知の方法により切り取って形を整えることにより、容易に、また経済的に製造することができる。好ましくは、シート材料は十分な厚さを有し、切り取りおよび仕上げのステップは、目またはまぶたの敏感な皮膚を切ったり刺激したりする可能性のある鋭い縁ができないように選択される。また、シート材料および型板２に着色または印刷するために使用されるインクまたは染料は、利用者を刺激したり傷つけたりしないように生物許容性のものでなければならない。
【００１１】
上に記載され、図７に示されるように、まつげのタイプをプロファイリングする方法は、少なくとも１つの選択されたまつげの特徴を表す表示18を有するシートの縁部10を提供し；まつげを表示18と比較できるように縁部10をまつげ21の下に置き；まつげの特徴を表示と視覚的に比較して、表示により表される少なくとも１つのまつげの特徴と比較した上記まつげのまつげプロファイルを決定するステップを含む。
【００１２】
あるいは、まつげのタイプをプロファイリングする方法は、第１のシート上に少なくとも１つの第１の選択されたまつげの特徴の値を表す第１の表示を有する第１の縁部を提供し；第１のシート上または第２のシート上に第１のまつげの特徴の値とは異なる少なくとも１つの第２の選択されたまつげの特徴の値を表す第２の表示を有する第２の縁部を提供し；まつげを第１の表示と比較できるように第１の縁部をまつげの下に置き、まつげの特徴を第１の表示と視覚的に比較し；第１の縁部を取り除いて、まつげを第２の表示と比較できるように第２の縁部をまつげの下に置き、まつげの特徴を第２の表示と視覚的に比較し；第１の表示および第２の表示との相対的な類似または相違に基づいて上記まつげのまつげプロファイルを決定するステップを含む。上記の第２の方法において、第１の縁部10および第２の縁部10”は、両方同じ型板上にある（たとえば、図５〜６の2’’’および2’’’’参照）、または第１の縁部10および第２の縁部10”は別の型板上にある（たとえば、それぞれ図１および４の２および2”を参照）。
【００１３】
本発明の利点は非常に明白である。本発明の型板は、消費者が彼らのまつげの特徴を客観的に決定することができるようにするための基準を提供する。次に、この情報を用いて利用者のまつげの特徴に最も適したマスカラ製品および/または製品のアプリケーターを選択することができる。この情報により、利用者および製品の販売者は試行錯誤による実験の過度の負担および出費を最小限にするか、完全になくすことができる。
【００１４】
さらに、型板２の単純な構造のために、およびこれが容易に入手できる材料から公知の方法により作られているために、型板２の製造コストはきわめて低い。コストが低いにもかかわらず、型板２は消費者が適切なメークアップ製品を選択する助けとするためにまつげをプロファイリングする時に重要な機能を果たす。さらに、型板は二次的な製品情報を提供することができる。これにより、型板は重要なマーケティングおよび宣伝手段として用いることができる。単純な構造および低い製造コストのために、型板は１回の使用、使い捨ての適用に理想的に適しており、それにより、たとえば化粧品販売カウンターのような小売りの場において衛生的で清潔な状態が保たれる。また、コストが低いために、型板は製品情報またはマーケティングもしくは他のメッセージを付けて無料で消費者に配布することができる宣伝手段として非常に有効に使用することが可能である。化粧品販売カウンターのような小売店における配布に加えて、型板はたとえばダイレクトメールによる宣伝、雑誌および新聞への挿入、関連する化粧品の包装への挿入等のような公知の宣伝経路を通して容易に配布することができる。本発明の単純さおよび優れた機能は、ウェブサイト上でのダウンロードおよび印刷可能な画像としての配布さえも可能にする。興味を持った消費者は画像を印刷して、画像の周囲の余分な紙をハサミで切り取って機能する型板を作ることができる。
【００１５】
本発明を好ましい構成を有する実施形態として説明および図示したが、下記の特許請求の範囲に列挙された本発明の趣旨および範囲を逸脱することなくその構造およびパーツの配置に関してさまざまな変更を行うことができることが理解されるであろう。
【図面の簡単な説明】
【００１６】
【図１】図１は、本発明の１つの実施形態の頂面図である。
【図２】図２は、図１に示された実施形態の底面図である。
【図３】図３は、本発明の別の実施形態の平面図である。
【図４】図４は、本発明の別の実施形態の平面図である。
【図５】図５は、本発明の別の実施形態の平面図である。
【図６】図６は、本発明の別の実施形態の平面図である。
【図７】図７は、図１に示された実施形態を使用する位置に置いた図である。
【図１】
2006506127.tif 000003
【図２】
2006506127.tif 000004
【図３】
2006506127.tif 000005
【図４】
2006506127.tif 000006
【図５】
2006506127.tif 000007
【図６】
2006506127.tif 000008
【図７】
2006506127.tif 000009
【国際調査報告】
2006506127.tif 000010